(57)【要約】      （修正有）【課題】  原水と中和薬剤の混合流路を備え、処理効率や処理精度の低下を防止できると共に、多様なニーズに柔軟に対応できる中和処理装置における混合槽の提供。【解決手段】  混合槽１を、原水Ａと中和薬液Ｂを収容する混合槽本体１１と、混合槽本体１１に対して抜き取りと差し込みができる流路形成体２とで構成し、流路形成体２を、下部に開口部２３が形成された区画板２１と、区画板２１から混合槽本体１１の内壁１３に向かって延出して一次側混合槽１５および二次側混合槽１６の内部に流路を形成する複数の流路形成板２２とで構成し、さらに、流路形成体２を、原水Ａと中和薬液Ｂよりも比重が重く、且つ、区画板２１にかかる水頭圧Ｐ１，Ｐ２によって可動な重量と受圧面積とすると共に、混合槽本体１１の内壁１３と、内壁１３に隣接する区画板２１の側縁２５および流路形成板２２の先端２６並びに側縁２７との間に所定の隙間Ｓを設けた。【選択図】  図１
2005161107.tif 000002
【特許請求の範囲】
【請求項１】
下部にて連通する一次側混合槽（１５）と二次側混合槽（１６）に区画されていると共に、一次側混合槽（１５）および二次側混合槽（１６）の内部に処理すべき原水（Ａ）と中和薬液（Ｂ）の混合を促すための複数の流路形成板（２２）を備え、処理すべき原水（Ａ）と中和薬液（Ｂ）を一次側混合槽（１５）の上部から流入させ、一次側混合槽（１５）から二次側混合槽（１６）へと連なる流路によってこれらを混合して中和処理した後、上記中和処理された処理水（Ｃ）を二次側混合槽（１６）の上部から流出させる中和処理装置における混合槽（１）において、
上記混合槽（１）は、処理すべき原水（Ａ）と中和薬液（Ｂ）を収容する混合槽本体（１１）と、混合槽本体（１１）に対して抜き取りと差し込みができる流路形成体（２）によって構成され、上記流路形成体（２）は、混合槽本体（１１）内を下部にて連通する一次側混合槽（１５）と二次側混合槽（１６）に区画するための下部に開口部（２３）が形成された区画板（２１）と、上記区画板（２１）から混合槽本体（１１）の内壁（１３）に向かって延出して一次側混合槽（１５）および二次側混合槽（１６）の内部に流路を形成する複数の流路形成板（２２）を備えて成り、さらに、上記流路形成体（２）は、混合槽本体（１１）に流入する処理すべき原水（Ａ）と中和薬液（Ｂ）よりも比重が重く、且つ、流路形成体（２）の区画板（２１）にかかる水頭圧（Ｐ１，Ｐ２）によって可動し得る重量と受圧面積を有して成ると共に、上記混合槽本体（１１）の内壁（１３）と、内壁（１３）に隣接する流路形成体（２）を構成する区画板（２１）の側縁（２５）および流路形成板（２２）の先端（２６）並びに流路形成板（２２）の側縁（２７）との間に所定の隙間（Ｓ）を設けて成り、上記流路形成体（２）を混合槽本体（１１）内に差し込んだ状態で混合槽本体（１１）内に処理すべき原水（Ａ）と中和薬液（Ｂ）を流入させた際に、上記区画板（２１）の一次側混合槽（１５）側の面にかかる水頭圧（Ｐ１）と二次側混合槽（１６）側の面にかかる水頭圧（Ｐ２）によって、区画板（２１）が差し込まれた位置にてほぼ垂直にバランスしてその状態が保持されると同時に、流路形成体（２）が混合槽本体（１１）内の所定の位置に保持されることを特徴とする中和処理装置における混合槽（１）。
【発明の詳細な説明】
【技術分野】
【０００１】
本発明は中和処理装置の混合槽に係り、更に詳しくは、下部にて連通する一次側混合槽と二次側混合槽に区画されていると共に、一次側混合槽内および二次側混合槽内に処理すべき原水と中和薬剤の混合を促すための流路が形成されて成る中和処理装置の混合槽に関する。
【背景技術】
【０００２】
周知の通り、汚水の処理は様々であって、その中の一つにクリーニング業者等が排出するアルカリ性汚水や金属表面加工業者等が排出する酸性汚水を、水質汚濁防止法に定められた水素イオン濃度の許容範囲（ｐＨ５．８〜８．６）とするための中和処理があり、この中和処理を行うために様々な中和処理装置が用いられている。
【０００３】
上記中和処理装置としては、処理すべき原水と中和薬液を入れる為の中和槽を多段に配し、上流側に位置する中和槽から徐々に中和処理を行う多段式の中和処理装置や、混合槽内において処理すべき原水と中和薬液を混合し、この混合した処理水の水素イオン濃度に応じた量の中和薬液を混合槽内に投入するようにした比例制御式の中和処理装置などがあるが、多段式の中和処理装置は、装置自体が大掛かりで設置コストが高く、また、設置スペースの確保が困難であるため、比例制御式の中和処理装置が広く利用されている。
【０００４】
上記比例制御式の中和処理装置は、多段式の中和処理装置に比して装置自体がコンパクトであり、設置スペースや設置コスト等の問題点は解決できるものの、比例制御式の中和処理装置の利点を引き出すためには、処理すべき原水と中和薬液を十分に混合する必要があると共に、処理水が水質汚濁防止法に定められた水素イオン濃度の許容範囲外である場合、これを放流しないで原水貯槽へ確実に戻す必要があり、比例制御式の中和処理装置の利点を十分に引き出すことを目的として、本出願人は先に、中和処理装置における混合選別槽（特許文献１参照）を提案した。
【０００５】
上記中和処理装置における混合選別槽は、特許文献１の図１に示されているように、下部で連通する一次側混合槽と二次側混合槽に区画されていると共に、一次側混合槽内および二次側混合槽内に処理すべき原水と中和薬液の混合を促す（乱流撹拌を行う）ための流路形成板が配設されて成る混合槽と、上記混合槽を構成する二次側混合槽からオーバーフローした処理水を放流または原水貯槽に戻すための選別槽とを備えて成るものである。
【特許文献１】特公平４−２９４３８号
【発明の開示】
【発明が解決しようとする課題】
【０００６】
上記中和処理装置における混合選別槽は、上記のように構成されているので、処理すべき原水と中和薬液の混合を促して処理すべき原水の中和処理を効率良く行うことができ、また、処理水が水質汚濁防止法に定められた水素イオン濃度の許容範囲外である場合、これを放流しないで原水貯槽へ確実に戻すことができるものであるが、混合槽を一次側混合槽と二次側混合槽に区画する区画板が混合槽に対して固定的に設けられ、また、一次側混合槽内および二次側混合槽内に流路を形成するための流路形成板が混合槽および区画板に対して固定的に設けられているため、以下のような不具合が生じている。
【０００７】
即ち、区画板が混合槽に固定的に設けられ、また、流路形成板が混合槽および区画板に対して固定的に設けられていることにより、中和処理装置のメンテナンス、特に、混合選別槽を構成する混合槽（区画板および流路形成板を含む）の掃除が困難であり、処理効率や処理精度が低下してしまうという不具合が生じ、さらに、処理すべき原水の水質やｐＨ調整の精度の変更等に対応するために流路形成板の配置や枚数を変更しようとする場合には、混合槽全体を改造する必要が生じ、中和処理装置に求められる多様なニーズに対して柔軟に対応することができないものであった。
【０００８】
よって、本発明は、上記課題を解決するものであって、混合槽の掃除を容易に行うことができると共に、処理すべき原水の水質やｐＨ調整の精度の変更等に対応するための流路形成板の配置や枚数の変更を容易に行うことができ、優れたメンテナンス性によって処理効率や処理精度の低下を防止できると共に、多様なニーズにも柔軟に対応することができる中和処理装置における混合槽の提供を目的とするものである。
【課題を解決するための手段】
【０００９】
本発明は、上記目的を達成するために、次の技術的手段を有する。
即ち、発明を実施するための最良の形態および実施例に対応する添付図面に使用した符号を用いて説明すると、下部にて連通する一次側混合槽１５と二次側混合槽１６に区画されていると共に、一次側混合槽１５および二次側混合槽１６の内部に処理すべき原水Ａと中和薬液Ｂの混合を促すための複数の流路形成板２２を備え、処理すべき原水Ａと中和薬液Ｂを一次側混合槽１５の上部から流入させ、一次側混合槽１５から二次側混合槽１６へと連なる流路によってこれらを混合して中和処理した後、上記中和処理された処理水Ｃを二次側混合槽１６の上部から流出させる中和処理装置における混合槽１において、
上記混合槽１は、処理すべき原水Ａと中和薬液Ｂを収容する混合槽本体１１と、混合槽本体１１に対して抜き取りと差し込みができる流路形成体２によって構成され、上記流路形成体２は、混合槽本体１１内を下部にて連通する一次側混合槽１５と二次側混合槽１６に区画するための下部に開口部２３が形成された区画板２１と、上記区画板２１から混合槽本体１１の内壁１３に向かって延出して一次側混合槽１５および二次側混合槽１６の内部に流路を形成する複数の流路形成板２２を備えて成り、さらに、上記流路形成体２は、混合槽本体１１に流入する処理すべき原水Ａと中和薬液Ｂよりも比重が重く、且つ、流路形成体２の区画板２１にかかる水頭圧Ｐ１，Ｐ２によって可動し得る重量と受圧面積を有して成ると共に、上記混合槽本体１１の内壁１３と、内壁１３に隣接する流路形成体２を構成する区画板２１の側縁２５および流路形成板２２の先端２６並びに流路形成板２２の側縁２７との間に所定の隙間Ｓを設けて成り、上記流路形成体２を混合槽本体１１内に差し込んだ状態で混合槽本体１１内に処理すべき原水Ａと中和薬液Ｂを流入させた際に、上記区画板２１の一次側混合槽１５側の面にかかる水頭圧Ｐ１と二次側混合槽１６側の面にかかる水頭圧Ｐ２によって、区画板２１が差し込まれた位置にてほぼ垂直にバランスしてその状態が保持されると同時に、流路形成体２が混合槽本体１１内の所定の位置に保持されることを特徴とする中和処理装置における混合槽１である。
【発明の効果】
【００１０】
上述したように、本発明の中和処理装置における混合槽１は、処理すべき原水Ａと中和薬液Ｂを収容する混合槽本体１１と、混合槽本体１１に対して抜き取りと差し込みができる流路形成体２によって構成され、上記流路形成体２は、混合槽本体１１内を下部にて連通する一次側混合槽１５と二次側混合槽１６に区画するための下部に開口部２３が形成された区画板２１と、上記区画板２１から混合槽本体１１の内壁１３に向かって延出して一次側混合槽１５および二次側混合槽１６の内部に流路を形成する複数の流路形成板２２を備えて成るものであるので、流路形成体２を混合槽本体１１から抜き取ることにより、区画板２１および区画板２１に配設された複数の流路形成板２２が混合槽本体１１から抜き取られることとなるので、混合槽本体１１の内部および区画板２１並びに流路形成板２２の清掃が容易となり、混合槽１のメンテナンスを容易に行うことができ、処理効率や処理精度の低下を防止することができる。
【００１１】
さらに、処理すべき原水Ａの水質やｐＨ調整の精度等に応じて流路形成板２２の枚数や配置を調整しようとする場合には、流路形成体２の区画板２１および流路形成板２２に改造を施したり、流路形成板２２の配置の変更を行うことで容易に対応することができ、また、必要に応じて別の流路形成体２を用意してこれを混合槽本体１１に差し込むことによって、求められる用途や精度に応じることも可能となるので、多様なニーズにも柔軟に対応することができる。
【００１２】
さらに、流路形成体２を混合槽本体１１内に差し込んだ状態で混合槽本体１１内に処理すべき原水Ａと中和薬液Ｂを流入させた際に、上記区画板２１の一次側混合槽１５側の面にかかる水頭圧Ｐ１と二次側混合槽１６側の面にかかる水頭圧Ｐ２によって、区画板２１が差し込まれた位置にてほぼ垂直にバランスしてその状態が保持されると同時に、流路形成体２が混合槽本体１１内の所定の位置に保持されるので、混合槽本体１１に流路形成体２を固定・保持するための手段等を設ける必要がなく、その結果、混合槽本体１１の内壁１３および底壁１４を平滑な面で構成することができ、混合槽本体１１の掃除を容易に行うことができると共に、混合槽本体１１の製造コスト、即ち、混合槽１の製造コストを低減することができる。
【発明を実施するための最良の形態】
【００１３】
次に添付図面に基づき、本発明の中和処理装置における混合槽について説明する。
図１に示したように、本発明の中和処理装置における混合槽１は、混合槽本体１１と混合槽本体１１内に配設される流路形成体２によって構成され、上記混合槽本体１１は、縦長の箱状体として形成されている。
【００１４】
上記流路形成体２は、混合槽本体１１内を一次側混合槽１５と二次側混合槽１６に区画する区画板２１と、上記区画板２１によって一次側混合槽１５と二次側混合槽１６に区画された混合槽本体１１の内部に流路を形成するための区画板２１から混合槽本体１１の内壁１３に向かって延出する複数の流路形成板２２を備えて成るものであって、上記区画板２１の下部には一次側混合槽１５と二次側混合槽１６とを連通させるための開口部２３が形成されている。
【００１５】
上記複数の流路形成板２２は、区画板２１の一次側混合槽１５に向かう面および二次側混合槽１６に向かう面の各々に配設されているものであって、複数の流路形成板２２の各々は、その基部２８が区画板２１に対して取付けられているものであり、区画板２１と区画板２１に取付けられた複数の流路形成板２２によって一体的に構成される流路形成体２は、図２に示したように、混合槽本体１１から抜き取ることができるように構成されている。
【００１６】
そして、上述した如く、本発明の中和処理装置における混合槽１は、図３に示したように、混合槽本体１１の内部に、上記流路形成体２によって形成される一次側混合槽１５から二次側混合槽１６に連なる連続した流路を備えて成るものであり、また、上記二次側混合槽１６の上部には、オーバーフロー用開口部１２が形成されており、処理すべき原水Ａと中和薬液Ｂを一次側混合槽１５の上部から流入させ、一次側混合槽１５から二次側混合槽１６に連なる流路によって混合・中和処理された処理水Ｃを、二次側混合槽１６の上部（オーバーフロー用開口部１２）から流出させるように構成されている。
【００１７】
さらに、図２，図３に示したように、上記オーバーフロー用開口部１２に対応する形で選別槽３が配設されており、オーバーフロー用開口部１２から流出する処理水Ｃを受け入れることができるように構成され、また、上記流路形成体２の二次側混合槽１６側の上部には、上記混合槽本体１１の上部に形成されたオーバーフロー用開口部１２からオーバーフローして流出する処理水Ｃの水素イオン濃度（ｐＨ値）を測定するためのｐＨセンサー１７（図６参照）を保持するｐＨセンサー保持部２９が設けられている。
【００１８】
そして、一次側混合槽１５および二次側混合槽１６に形成される流路の状態、即ち、流路形成体２を構成する区画板２１に取り付けられる流路形成板２２の配置を示しているのが図４，図５であり、図４が一次側混合槽１５内における流路形成板２２の配置、図５が二次側混合槽１６内における流路形成板２２の配置を示している。
【００１９】
一次側混合槽１５内には、一次側混合槽１５の上方から下方に向かって流れる処理すべき原水Ａおよび中和薬液Ｂの流れ方向に沿うようにして、互いに平行な２枚の流路形成板２２ａ，２２ｂ（図４参照）が配置されており、一次側混合槽１５の上方から流入する処理すべき原水Ａと中和薬液Ｂの流れを整えると共に、流入した処理すべき原水Ａと中和薬液Ｂの分布をできるだけ均一とするものである。
【００２０】
二次側混合槽１６内には、二次側混合槽１６の下方から上方に向かって流れる処理すべき原水Ａおよび中和薬液Ｂの流れ方向に対して垂直に配置される３枚の流路形成板２２ｃ，２２ｄ，２２ｅが配置されており、流路形成板２２ｃ，２２ｄは、区画板２１の下部に形成された２つの開口部２３の上方（下流側）に、また、流路形成板２２ｅは、流路形成板２２ｃ，２２ｄとの間に形成される流路の上方（下流側）に配置されている。
【００２１】
即ち、流路形成板２２ｃ，２２ｄ，２２ｅの各々は、その上流側に位置する流路を遮るようにして配置されているものであり、これにより、二次側混合槽１６内における処理すべき原水Ａと中和薬液Ｂの流れが乱流となり、流路形成板２２による乱流撹拌が行われることとなるので、処理すべき原水Ａと中和薬液Ｂが効率良く混合され、中和処理を速やかに行うことができる。
【００２２】
また、一次側混合槽１５および二次側混合槽１６の内部に流路を形成する流路形成板２２の配置は、上述した例に限定されるものではなく、処理すべき原水Ａの水質やｐＨ調整の精度等に応じて流路形成板２２の枚数や配置を調整することができる。
【００２３】
さらに、混合槽本体１１の内壁１３と、流路形成体２における上記内壁１３と隣接する部分、即ち、区画板２１の側縁２５と流路形成板２２（２２ａ，２２ｂ，２２ｃ，２２ｄ，２２ｅ）の先端２６および流路形成板２２（２２ｃ，２２ｄ）の側縁２７との間には、所定の隙間Ｓが設けられており（図３，図４，図５参照）、混合槽本体１１に対する流路形成体２の取り出しと差し込みが容易に行えるように構成されている。
【００２４】
また、上記流路形成体２は、混合槽本体１１に流入する処理すべき原水Ａと中和薬液Ｂよりも重い比重を有すると共に、流路形成体２を構成する区画板２１にかかる水頭圧Ｐ１，Ｐ２によって可動し得る重量と受圧面積を有するものであり、その材料としては、耐酸性および耐アルカリ性を備えた硬質塩化ビニル樹脂やステンレスの薄板等が考慮されるものであり、特に、加工が容易である硬質塩化ビニル樹脂が好ましい。
【００２５】
さらに、上記流路形成体２を混合槽本体１１に差し込んだ状態を見てみると、処理すべき原水Ａおよび中和薬液Ｂが流入していない状態では、流路形成体２を構成する区画板２１の下端２４が混合槽本体１１の底壁１４上に載り、区画板２１の側縁２５や流路形成板２２の先端および側縁が混合槽本体１１の内壁に軽く接しているものであるが、処理すべき原水Ａおよび中和薬液Ｂを流入させた際には、上記流路形成体２が、処理すべき原水Ａと中和薬液Ｂよりも重い比重を有すると共に、区画板２１にかかる水頭圧Ｐ１，Ｐ２によって可動し得る重量と受圧面積を有することにより、上記区画板２１の一次側混合槽１５側の面にかかる水頭圧Ｐ１と二次側混合槽１６側の面にかかる水頭圧Ｐ２によって、区画板２１が差し込まれた位置にてほぼ垂直にバランスしてその状態が保持されると同時に、流路形成体２が混合槽本体１１内の所定の位置に保持される。
【００２６】
従って、処理すべき原水Ａおよび中和薬液Ｂを流入させた状態では、流路形成体２を構成する区画板２１にかかる水頭圧Ｐ１，Ｐ２によって、区画板２１が混合槽本体１１内でほぼ垂直にバランスし、区画板２１の下端２４が混合槽本体１１の底壁１４上に載っているだけの状態となるものであり、しかも、混合槽本体１１内に処理すべき原水Ａおよび中和薬液Ｂが流入しているときにはこの状態が保持され続けるので、流路形成体２自体も混合槽本体１１内の所定の位置に保持されることとなり、流路形成体２を固定・保持するための手段を必要とせず、混合槽本体１１に対する流路形成体２の抜き取りおよび差し込みを非常に容易に行うことができる。
【００２７】
さらに、混合槽本体１１内に処理すべき原水Ａおよび中和薬液Ｂが流入している際に、流路形成体２が混合槽本体１１内の所定の位置に保持されている状態を見てみると、区画板２１の下端２４が混合槽本体１１の底壁１４上に載っているだけであり、流路形成体２全体では、フローティングした状態に近い状態となっているので、混合槽本体１１と流路形成体２が互いに独立した状態となり、共振等の不具合が防止され、混合槽１の信頼性を向上させることができる。
【００２８】
さらに、流路形成体２を固定・保持するための手段を必要としないことによって、混合槽本体１１における内壁１３および底壁１４を平滑な面で構成することができ、混合槽本体１の製造コストを低減することができる。
【００２９】
そして、本発明の中和処理装置における混合槽１は、上述の如く構成され、混合槽１を構成する混合槽本体１１に対して混合槽本体１１内を下部にて連通する一次側混合槽１５と二次側混合槽１６に区画すると共に、一次側混合槽１５および二次側混合槽１６の内部に流路を形成する流路形成体２が、混合槽１を構成する混合槽本体１１に対して差し込みと抜き取りが容易に行えるように構成されているので、混合槽１の掃除が容易となり、メンテナンス性に優れた中和処理装置における混合槽１が提供される。
【００３０】
そして、流路形成体２を混合槽本体１１から抜き取ることにより、流路形成板２を構成する区画板２１および流路形成板２２の掃除も容易に行うことができ、しかも、上記混合槽本体１１における内壁１３および底壁１４が平滑な面で構成されているので、混合槽本体１１の掃除についても容易に行うことができる。
【００３１】
さらに、処理すべき原水Ａの水質やｐＨ調整の精度等に応じて流路形成板２２の枚数や配置を調整しようとする場合には、混合槽本体１１から抜き取られた流路形成体２を構成する区画板２１および流路形成板２２に改造や変更を行うことで対応することができ、また、必要に応じて別の流路形成体２を用意して混合槽本体１１に差し込むことによっても対応することができるので、求められる用途や精度に応じた適切な混合槽１を提供することができ、多様なニーズにも柔軟に対応することができる。
【００３２】
尚、上記混合槽１を構成する混合槽本体１１および流路形成体２の上部にはフタ（図示せず）が配設されるものであり、混合槽本体１１内に流れ込む処理すべき原水Ａおよび中和薬液Ｂの外部への飛散や異物の混入が防止されている。
【実施例】
【００３３】
次に、本発明の好適な実施例として、上述した本発明の混合槽を使用した中和処理装置を添付図面に基づき詳述する。
図６は、本発明の混合槽を比例制御式の中和処理装置に用いた場合を示しており、本発明の中和処理装置における混合槽１は、選別槽３を一体的に備えた混合選別槽９（図２および図３参照）として図示されている。
【００３４】
上記混合選別槽９を構成する混合槽１は、前記発明を実施するための最良の形態にて詳述したように、混合槽本体１１内に配設された流路形成体２によって、下部にて連通する一次側混合槽１５と二次側混合槽１６に区画されていると共に、一次側混合槽１５および二次側混合槽１６の内部に処理すべき原水Ａと中和薬液Ｂの混合を効果的に行うための流路が形成されている。
【００３５】
そして、上記一次側混合槽１５の上部から処理すべき原水Ａおよび中和薬液Ｂが流入するように構成され、一次側混合槽１５の上部から流入した処理すべき原水Ａおよび中和薬液Ｂは、一次側混合槽１５の上部から下部、区画板２１の開口部２３を通って二次側混合槽１６の下部から上部へと流れ、処理すべき原水Ａと中和薬液Ｂが混合され中和処理された処理水Ｃとして二次側混合槽１６の上部に形成されたオーバーフロー用開口部１２から流出するものであり、オーバーフロー用開口部１２の手前には、処理水Ｃの水素イオン濃度を測定するためのｐＨセンサー１７が配設されている。
【００３６】
そして、上記混合選別槽９を構成する選別槽３は、混合槽本体１１の二次側混合槽１６の上部に形成されたオーバーフロー用開口部１２に対応する切欠き部３１（図２および図３参照）を備え、オーバーフロー用開口部１２から流出する処理水Ｃを受け入れることができる位置に配設されているものであり、その内部には、戻し配管３２と放流用配管３６が配設されている。
【００３７】
上記戻し配管３２は、選別槽３内に受け入れた処理水Ｃの水素イオン濃度が不適合である時に、処理水Ｃを処理すべき原水Ａを貯めておくための原水貯槽４に戻すために形成されているものであり、選別槽３内に位置する戻し口３３を備え、上記戻し口３３には、アクチュエーター３５の開閉動作によって開閉する選別弁３４が配設されている。
【００３８】
上記放流用配管３６は、選別槽３内に受け入れた処理水Ｃの水素イオン濃度が適合である時に、処理水Ｃを放流するために形成されているものであり、上記戻し口３３よりも上方に位置する流出口３７を備え、オーバーフロー用開口部１２から流出した適合した処理水Ｃが選別槽３の内部に貯まって液面レベルが上昇した時に、選別槽３外に放流するものである。
【００３９】
そして、上記中和処理装置は、処理すべき原水Ａが貯留される原水貯槽４、上述した混合槽１および選別槽３が一体的に形成された混合選別槽９、中和薬液Ｂを同じく一次側混合槽１５内に送給するための薬液注入器５、ｐＨセンサー１７にて測定されたｐＨ値に対応する電流で電解液Ｄを分解し、その発生ガスを上記薬液注入器５に送給する電解槽６、中和薬液Ｂを貯めておくための薬液槽７、中和処理装置全体を制御するための制御部８によって構成されている。
【００４０】
尚、上記中和薬液Ｂは、処理すべき原水Ａがアルカリ性の時には酸性の薬液であり、処理すべき原水Ａが酸性の時にはアルカリ性の薬液である。
【００４１】
次に、上述した中和処理装置の作動について説明する。
中和処理装置を稼動させると、処理すべき原水Ａがポンプ４２によって送出され、ポンプ４２に連なる原水供給管４１から一次側混合槽１５の上部に供給される。一次側混合槽１５の上部に供給された処理すべき原水Ａは、一次側混合槽１５の内部に形成されている流路を通って二次側混合槽１６に流れ、上記二次側混合槽１６の上部に形成されたオーバーフロー用開口部１２から外部にオーバーフローして流出する。
【００４２】
そして、オーバーフローして流出した処理水Ｃは、選別槽３内に流入するものであり、このとき、選別槽３内に流入する処理水Ｃの水素イオン濃度は、二次側混合槽１６の上部に配設されているｐＨセンサー１７によって測定されており、水素イオン濃度が不適合の場合には、選別槽３の下部に形成されている戻し配管３２の戻し口３３に配設された選別弁３４が開動作され、また、水素イオン濃度が適合している場合には、選別弁３４が閉動作する。
【００４３】
また、上記選別弁３４の開閉動作は、ｐＨセンサー１７にて測定された処理水Ｃの水素イオン濃度に基づいて制御部８から発せられる動作信号によって動作するアクチュエーター３５によって行われる。
【００４４】
そして、この場合、まだ中和薬剤Ｂが供給されておらず、処理水Ｃは、処理すべき原水Ａのままであり、処理水Ｃの水素イオン濃度が不適合であるので、上記選別弁３４は開動作され、選別槽３内に流入した不適合の処理水Ｃは、戻し配管３２の戻し口３３から原水貯槽４に戻され、外部には放流されない。
【００４５】
このように、選別槽３内に流入した処理水Ｃが原水貯槽４に戻されている間に、ｐＨセンサー１７の設定値に基づく電流で電解槽６中の電解液Ｄが電気分解され、この電気分解によって生じたガス（水素ガスと酸素ガス）が薬液注入器５に送られる。
【００４６】
上記薬液注入器５は、密閉構造にされているので、上記ガスが供給されると内部圧力が上昇することとなり、この内部圧力の上昇によって中和薬液Ｂが押し出され、中和薬液供給管５１を介して中和薬液Ｂが一次側混合槽１５の上部に供給され、これによって、一次側混合槽１５の上部には、処理すべき原水Ａと中和薬液Ｂが流入することになる。
【００４７】
これらの処理すべき原水Ａと中和薬液Ｂは、一次側混合槽１５内に形成されている流路を通って下部に流れ、区画板２１の下部に形成された開口部２３を経て二次側混合槽１６の下部に流入し、さらに、二次側混合槽１６内に形成された流路を通って上部に至り、二次側混合槽１６の上部に形成されているオーバーフロー用開口部１２から外部にオーバーフローして流出する。
【００４８】
上記一次側混合槽１５および二次側混合槽１６に形成された流路は、前記したように、区画板２１に配設された複数の流路形成板２２（２２ａ，２２ｂ，２２ｃ，２２ｄ，２２ｅ）によって形成されるものであって、処理すべき原水Ａと中和薬液Ｂは、一次側混合槽１５および二次側混合槽１６の内部を流れながら十分に混合され、二次側混合槽１６の上部に至った時には、処理すべき原水Ａは中和薬液Ｂによって適合した水素イオン濃度に中和処理されている。
【００４９】
このように、二次側混合槽１６の上部に至った処理水Ｃが所定の水素イオン濃度に適合しているかどうかは、二次側混合槽１６の上部に配設されているｐＨセンサー１７によって測定され、適合している場合には、上記選別弁３４が閉動作する。
【００５０】
選別弁３４が閉動作することによって、選別槽３内に流入した処理水Ｃは原水貯槽４に戻されなくなり、選別槽３内に貯まり、選別槽３内の液面レベルが次第に上昇し、流出口３７の形成されている上方位置まで上昇した時に、この適合した処理水Ｃは、流出口３７から放流用配管３６を介してオーバーフローによって外部に放流される。
【００５１】
上記したように、処理水Ｃの外部への放流は、受け入れた処理水Ｃを一旦、選別槽３内部に貯め、その液面レベルが所定のレベルに達した後にオーバーフローによって行われるものであるので、選別槽３内には常時一定した適合した処理水Ｃが貯められていることになる。
【００５２】
このようにして、混合槽１内で中和処理された処理水Ｃは、選別槽３内の上方に形成された流出口３７から放流用配管３６を介して放流されていくものであり、放流中も、二次側混合槽１６の上部に配設されたｐＨセンサー１７によって常時その水素イオン濃度が測定されており、この水素イオン濃度が再び不適合となった場合には、上記選別弁３４が開動作して、選別槽３内に流入した処理水Ｃを戻り配管３３を介して原水貯槽４に戻すものである。
【００５３】
また、上記ｐＨセンサー１７が測定した時と、選別弁３４が開動作する間に多少のタイムラグが生じるが、選別槽３内には適合する処理水Ｃが常時貯められており、上方から流入した処理水Ｃは、選別槽３内に貯められている処理水Ｃ中に一旦沈み、これらと混ざり合った後に上昇して流出口３７から放流用配管３３を経て放流されるので、不適合な処理水Ｃが流出口３７迄上昇するのにある程度の時間を要し、この間に選別弁３４が開動作して選別槽３内に貯まっている処理水Ｃを原水貯槽４に戻し、液面レベルを低下させることができるので、選別槽３内に流入した不適合な処理水Ｃが流出口３７から放流用配管３６を介して外部に放流される不具合が生じる心配は無い。
【００５４】
尚、本実施例では、薬液注入器５が電解比例式である場合を示したが、これに限らず、比例ポンプ式の薬液注入器等、他の方式の薬液注入器を用いることもできる。
【００５５】
そして、上記の如く中和処理装置を作動させることにより、混合槽１を構成する混合槽本体１１および流路形成体２に汚泥や処理すべき原水Ａに含まれるゴミ等が付着した場合には、混合槽本体１１から流路形成体２を抜き取ることによって、容易に掃除を行うことができる。
【００５６】
しかも、流路形成体２を混合槽本体１１から抜き取ることにより、流路形成板２を構成する区画板２１および流路形成板２２の掃除も容易に行うことができ、また、上記流路形成体２は、混合槽本体１１に対して単に差し込まれているだけであって、混合槽本体１１における内壁１３および底壁１４が平滑な面で構成されているので、混合槽本体１１の掃除についても非常に容易となるものであり、優れたメンテナンス性が発揮され、中和処理装置のランニングコストの低減を図ることができる。
【００５７】
さらに、処理すべき原水Ａの水質やｐＨ調整の精度等に応じて流路形成板２２の枚数や配置を調整しようとする場合には、流路形成体２を構成する区画板２１および流路形成板２２に改造を施したり、流路形成板２２の配置変更を行うことで容易に対応することができ、また、必要に応じて別の流路形成体２を用意してこれを混合槽本体１１に差し込むことによって、求められる用途や精度に応じた適切な混合槽１を提供することができる。
【００５８】
さらに、処理すべき原水Ａおよび中和薬液Ｂを流入させた状態において、流路形成体２を構成する区画板２１にかかる水頭圧Ｐ１，Ｐ２によって、区画板２１が混合槽本体１１内でほぼ垂直にバランスすると同時に、流路形成体２自体も混合槽本体１１内の所定の位置に保持されることとなり、この時、区画板２１の下端２４が混合槽本体１１の底壁１４上に載った状態でほぼ垂直にバランスしており、流路形成体２全体では、ほぼフローティングした状態となっているので、混合槽本体１１と流路形成体２が互いに独立した状態となり、共振等の不具合が防止され、信頼性の高い混合槽１が提供される。
【図面の簡単な説明】
【００５９】
【図１】本発明の混合槽の構成を示す斜視図である。
【図２】混合槽本体から区画板および流路形成板を取り出した状態を示す斜視図である。
【図３】図１におけるＸ−Ｘ線に沿う断面図である。
【図４】一次側混合槽内における流路形成板の配置を示す図である。
【図５】二次側混合槽内における流路形成板の配置を示す図である。
【図６】本発明の混合槽を備えた中和処理装置を示す模式図である。
【符号の説明】
【００６０】
１  混合槽
２  流路形成体
３  選別槽
４  原水貯槽
５  薬液注入器
６  電解槽
７  薬液槽
８  制御部
９  混合選別槽
１１  混合槽本体
１２  オーバーフロー用開口部
１３  内壁
１４  底壁
１５  一次側混合槽
１６  二次側混合槽
１７  ｐＨセンサー
２１  区画板
２２  流路形成板
２３  開口部
２４  区画板の下端
２５  区画板の側縁
２６  流路形成板の先端
２７  流路形成板の側縁
２８  流路形成板の基部
２９  ｐＨセンサー保持部
３１  切欠き部
３２  戻し配管
３３  戻し口
３４  選別弁
３５  アクチュエーター
３６  放流用配管
３７  流出口
４１  原水供給管
４２  ポンプ
５１  中和薬液供給管
Ａ  処理すべき原水
Ｂ  中和薬液
Ｃ  処理水
Ｄ  電解液
Ｓ  隙間
Ｐ１，Ｐ２  水頭圧
【図１】
2005161107.tif 000003
【図２】
2005161107.tif 000004
【図３】
2005161107.tif 000005
【図４】
2005161107.tif 000006
【図５】
2005161107.tif 000007
【図６】
2005161107.tif 000008